(57)【要約】【課題】ライター本体内の内燃機構等に砂や埃塵等が侵入してしまうといった問題があり、河川や海、雨或いは高地でも使用できるライターが要望されている。【解決手段】ライター本体１の頂面に形成された風防２と、該風防２に隣接された着火操作子３と、該着火操作子３及び前記風防２の頂部を開閉自在に被装するドーム状の蓋体４とを備える。ライター本体１は、円筒状に形成され、底部には、ガス量調整レバーを被装する底蓋１ｄが環状のガスケット(パッキン)１ｅを介して気密に螺合されると共に、胴部側面にクリップ５を突設せしめる。風防２及び着火操作子３は、長手方向に半割された半円筒状を呈しており、風防２の中空部に内燃機構６をコンパクトに組み付け、着火操作子３は、風防２の頂面よりも一段低い指掛部３ａと風防２側に面するガード部３ｂとを一体的に連設して圧電機構７を押込操作自在に被装せしめる。【選択図】図３
0003129501.tif 000002
【実用新案登録請求の範囲】
【請求項１】
ライター本体の頂部及び／又は底部を水密若しくは気密に被装する蓋体と、該蓋体若しくは前記ライター本体に突設されたクリップとを備えたことを特徴とするカプセルライター。
【請求項２】
前記ライター本体は、長手方向に半割された半円筒状の風防と、同方向に半割された半円筒状の着火操作子とを対向させて円筒状に接合してなることを特徴とする請求項１に記載のカプセルライター。
【請求項３】
前記ライター本体は、円筒状に形成されると共に、頂部に着火操作子と風防とを被装するドーム状の蓋体を介して水密に封止されることを特徴とする請求項１又は２に記載のカプセルライター。
【請求項４】
前記風防は、半円筒状に形成されて内燃機構をコンパクトに被装し、前記着火操作子は、風防の頂面よりも一段低くなる指掛部と風防側に面するガード部とを一体的に連設して圧電機構を被装せしめたことを特徴とする請求項２又は３に記載のカプセルライター。
【考案の詳細な説明】
【技術分野】
【０００１】
本考案は、ライター本体内で混合ガスの着火、燃焼が行われる耐風性に優れた内燃式ガスライターの改良に関し、更に詳しくは、円筒状に形成されたライター本体にドーム状に形成された蓋体を備えることで、耐水性、耐候性及び耐圧性にも優れた斬新なデザインを有するカプセルライターに関する。
【背景技術】
【０００２】
従来、圧電着火式ガスライター（所謂、ピエゾライター）にあって、ライター本体内に燃焼筒等が内蔵されてライターの本体内で空気と混合されたガスの着火、燃焼が行われる、所謂、内燃式ガスライターと称される耐風性（ＷＩＮＤ−ＰＲＯＯＦ）ガスライターが既に種々と案出されている。
【０００３】
斯かる内燃式ガスライターとしては、例えば、ガスタンクからの燃料ガスを流速を強めて噴出させることにより生ずる負圧によって空気を吸い込ませる吸気孔と、燃料ガスと空気との混合を促進させる混合管と、この混合ガスの流速を減速し拡散させるために前記混合管と連設させた拡散器と、該拡散器により空気と混合されたガス（混合ガス）を更に減速と拡散をさせて点火と燃焼に充分な流速の空気との混合ガスにするための前記拡散器に連設させた燃焼筒と、該燃焼筒内の可燃焼ガスに点火する点火手段とを備え、ライター本体内で着火燃焼が行われるように構成されている（特許文献１及び２参照）。
【特許文献１】特開昭６３−９１４３１号公報
【特許文献２】特開平５−１０６８３７号公報
【考案の開示】
【考案が解決しようとする課題】
【０００４】
しかしながら、上述した特開昭６３−９１４３１号公報に開示された内燃式ガスライターにあっては、ジェット噴流で醸し出す混合ガスが燃焼されてバーナー状に着火するため、強風下でも問題なく使用できるといった利点を有するものの、風防の炎孔が比較的大きく解放されているため(特許文献１参照)、また、着火操作子を押し下げた際に、風防の側面（着火操作子と対向する面）が大きく解放されることも相俟って(特許文献２参照)、ライター本体内の内燃機構や圧電機構に砂や埃塵等が侵入してしまうといった問題がある。
【０００５】
更に、昨今では、河川や海、雨或いは高地でも気にせず使用できるアウドドアに適した斬新なデザインの内燃式ガスライターが要望されている。
【０００６】
本考案はこのような従来の問題点及び要望に鑑みてなされたもので、耐風性に優れた内燃式ガスライターでありながらも、砂や埃塵等の侵入を防止し、耐水性、耐候性及び耐圧性にも優れた斬新なデザインのカプセルライターを提供することを目的としたものである。
【課題を解決するための手段】
【０００７】
上述の如き従来の問題点を解決し、所期の目的を達成するため本考案の要旨とする構成は、ライター本体の頂部及び／又は底部を水密若しくは気密に被装する蓋体と、該蓋体若しくは前記ライター本体に突設されたクリップとを備えたカプセルライターに存し、延いては、ライター本体の頂部に、長手方向に半割された半円筒状の風防と、同方向に半割された半円筒状の着火操作子とを対向させて円筒状に接合してなるカプセルライターに存する。
【０００８】
また、前記ライター本体は、円筒状に形成されると共に、頂部に着火操作子と風防とを被装するドーム状の蓋体を介して水密に封止されるのが良い。
【０００９】
更に、前記風防は、半円筒状の本体に内燃機構をコンパクトに被装し、前記着火操作子は、風防の頂面よりも一段低くなる指掛部と風防側に面するガード部とを一体的に連設して圧電機構を被装するのが良い。
【考案の効果】
【００１０】
本考案は上述のように構成され、ライター本体の頂部及び／又は底部を水密若しくは気密に被装する蓋体と、該蓋体若しくは前記ライター本体に突設されたクリップとを備えたことによって、耐水性、耐候性及び耐圧性に優れるため、河川や海、雨、高地(高度)などを気にせず、衣服のポケットや鞄或いはベルト等に簡単に装着できるアウトドアに最適なカプセルライターを提供できることとなった。
【００１１】
また、ライター本体の頂部に、長手方向に半割された半円筒状の風防と、同方向に半割された半円筒状の着火操作子とを対向させて円筒状に接合したことによって、今までのライターになかったコンパクトで斬新な半割スライド式で着火できるカプセルライターを提供できることとなった。
【００１２】
更に、前記ライター本体が、円筒状に形成されると共に、頂部に着火操作子と風防とを被装するドーム状の蓋体を介して水密に封止したことによって、内燃式ガスライターでありながらも、河川や海にでも携帯して使用できる耐水性に優れたカプセルライターを提供できることとなった。
【００１３】
また、前記風防は、半円筒状に形成されて内燃機構をコンパクトに被装し、前記着火操作子は、風防の頂面よりも一段低くなる指掛部と風防側に面するガード部とを一体的に連設して圧電機構を被装せしめたことによって、着火操作子を押し下げた状態でも、従来の如く風防の側面（同着火操作子が面する側）が解放されることなく、また、そこに前記ガード部が重畳すべく風防面に沿って移動するため、内燃機構や圧電機構内に砂や埃塵等が侵入することを防止できるといった効果を奏するものであり、河川や海又は高地でも気にせずに使用できる便利なカプセルライターを提供できることとなった。
【００１４】
このように本考案は、内燃式ガスライターでありながらも、砂や埃塵等の侵入を防止し、耐水性、耐候性及び耐圧性にも優れた高々度仕様のカプセルライターを提供でき、また、構成が単純であるため、大量生産に適し価格も低廉なものとして需用者に供給できるなど、本考案を実施することはその実益的価値が甚だ大である。
【考案を実施するための最良の形態】
【００１５】
円筒状に形成されたライター本体の頂部に、長手方向に半割された半円筒状の風防と、同方向に半割された半円筒状の着火操作子とを対向させて円筒状に接合し、かつ、前記風防に内燃機構をコンパクトに被装すると共に、前記着火操作子に風防の頂面よりも一段低くなる指掛部を一体的に連設し、前記着火操作子と風防とを被装するドーム状の蓋体を介して水密に封止せしめるのが良い。
【実施例】
【００１６】
次に本考案の実施の一例を図面を参照しながら説明する。図中Ａは、本考案に係るライターであり、このライターＡは、図１乃至図２に示すように、ライター本体１と、該ライター本体１の頂面に形成された風防２と、該風防２に隣接された着火操作子３と、該着火操作子３及び前記風防２の頂部を開閉自在に被装する蓋体４とを備えている。
【００１７】
ライター本体１は、円筒状に形成されると共に、図３に示すように、中にタンク上蓋１ａを介してガスタンク１ｂが形成されている。また、このライター本体１の底部には、ガス量調整レバー１ｃ（図５参照）を被装する底蓋１ｄが環状のガスケット(パッキン)１ｅを介して気密に螺合されると共に、胴部側面にクリップ５が突設されている。
【００１８】
風防２は、長手方向に半割された半円筒状を呈しており、中空部に内燃機構６がコンパクトに組み付けられている。内燃機構６は、図３に示すように、後述するガス噴出ノズル８ｃの噴出口に封緘されたノズルプレート(図示せず)と、該ノズルプレートを内設すべく前記ガス噴出ノズル８ｃの上端にスペーサ６ａを介して被冠された混合管６ｂと、該混合管６ｂの上部に連設された拡散器６ｃと、該拡散器６ｃを内装すべく接合された燃焼筒６ｄとを備えている。
【００１９】
前記ノズルプレートは、中央に穿孔を有した筒蓋と、該筒蓋の中に配設されるプレート本体とからなり、ガス噴出ノズル８ｃから噴出される気化ガスの流速を更に加速せしめるもので、必要により前記穿孔の下面側に微孔径のフィルター（図示せず）が装着される。
【００２０】
また、前記混合管６ｂは、中空の筒体に成形されており、径方向に複数の吸気孔６ｂ１    が開口されている。この吸気孔６ｂ１  は、前記ノズルプレート（図示せず）の穿孔を通過する燃料ガスが流速を強めて噴出されることによって生ずる負圧を利用して空気を吸い込むもので、燃料ガスと空気との混合を促進せしめるものである。
【００２１】
拡散器６ｃは、上下方向（同軸方向）に貫通した噴出路(図示せず)と、該噴出路と連通する複数の拡散孔６ｃ１  ，６ｃ１  …とが形成されている。拡散孔６ｃ１  ，６ｃ１  …は、混合管６ｂ側から流入してくる混合ガスが拡散器６ｃの頂面に当接して逆噴流を惹起せしめるように前記噴出路の入口側（下端側）よりも小孔に縮径させており、ガスの混合を更に促進させながら効果的に混合ガスを拡散せしめるものである。
【００２２】
燃焼筒６ｄは、上下両端が開口した中空の筒体からなり、下端開口に前記拡散器９ｃを固定すべく連結支持すると共に、上端側を前記風防２の炎孔２ａに臨ませている。
【００２３】
一方、着火操作子３は、長手方向に半割された半円筒状を呈しており、風防２の頂面よりも一段低い指掛部３ａと風防２側に面するガード部３ｂとを一体的に連設して圧電機構７を押込操作自在に被装している。
【００２４】
圧電機構７は、上下方向に伸縮するように相互に嵌め合わされた外箱７ａと内箱７ｂとを有する圧電ユニットからなり、内箱７ｂの中には、図示はしないが、圧電素子、ハンマー、復帰バネ等が組み込まれている。
【００２５】
バルブ機構８は、ガスタンク１ａと通じる透孔を介して水密に圧入されており、頂部端面に開口（図示せず）を有する筒蓋状のノズル螺旋８ａと、該ノズル螺旋８ａの下方開口部に嵌合された有底筒状のノズル底栓体８ｂとで内部に弁室（図示せず）を形成している。
【００２６】
また、この弁室内には、Ｏリング、スプリングを介してガス噴出ノズル８ｃが上端を前記ノズル螺旋８ａの開口より外方へ突出すべく装着されている。
【００２７】
更に、ノズル底栓体８ｂの底面には、モルト等のフィルター(図示せず)並びに釘状固定子(図示せず)等を介して液化ガス吸上部材(図示せず)が装着されている。この液化ガス吸上部材は、上端が集熱筒(図示せず)に連結支持され下端が前記ガスタンク１ｂ内に延出すべく組み付けられている。
【００２８】
着火機構は、ガス噴出ノズル８ｃの頸部に係合された状態で上下に揺動自在に支持された弁操作レバー９からなり、該弁操作レバー９の持ち上げ操作により前記ガス噴出ノズル８ｃの頸部が引出方向に動作されて弁が開きガスの噴出が始まるように組み付けられている。
【００２９】
換言すれば、この弁操作レバー９は、タンク上蓋１ａの頂面に突設された軸受け（図示せず）を支点として上下方向に揺動すべく一方端９ａを前記ガス噴出ノズル８ｃの頸部に係合されており、他方端９ｂが前記着火操作子３に組み付けられたアース１１で押し下げ操作されることにより、該弁操作レバー９が前記支点を中心として揺動し前記ガス噴出ノズル８ｃの頸部を引出方向に動作させるものである。尚、図中１０は、ガスタンク１ｂ用の透視窓である。
【００３０】
このように構成される本考案のカプセルライターＡは、ガスケット１ｅを介して水密に螺合されているドーム状の蓋体２を左方向に回動させることにより、ライター本体１と遊離すべく開蓋することができる。
【００３１】
次いで、着火操作子３の指掛部３ａに親指を掛けて押し下げ操作することにより、圧電機構７が押圧動作され放電端子(図示せず)に火花放電が発生すると共に、ガス噴出ノズル８ｃの頸部が弁操作レバー９により引出方向に動作されて弁が開き、かつ、前記ガスタンク１ｂから液化ガス吸上部材（図示せず）を介して吸い上げられた燃料ガスがフィルター(図示せず)に達し気化する。
【００３２】
また、気化したガスは、フィルターを透過してノズル底栓体８ｂの弁孔を抜け更にガス噴出ノズル８ｃの半径方向に開口された穿孔（図示せず）を通ってガス噴出路（図示せず）内に達し上端の噴出口から外方へと噴出される。
【００３３】
そして、斯かるガス噴出ノズル８ｃから噴出された気化ガスは、ノズルプーレートの封緘により更に流速を強めて噴出され、同時に斯かる流速で生ずる負圧作用を利用して混合管６ｂの吸気孔６ｂ１  から空気を吸い込み拡散器６ｃへと噴射される。
【００３４】
而して、噴射されたガスと空気の混合ガスは、拡散器６ｃ内の天頂面に当接して逆噴流を惹起せしめ、燃焼効率を向上すべく更に混合されながら天頂の前記噴出路並びに側面に開口された複数の拡散孔６ｃ１  を介して燃焼筒６ｄ内へと拡散されることとなり、その瞬間に前記火花放電が引火してバーナー状に着火するのである。
【００３５】
しかも、着火操作子３を押し下げた状態(着火状態)では、従来の如く風防２の側面（同着火操作子が面する側）が解放されることなく、また、そこに前記ガード部３ｂが重畳すべく風防面に沿って移動するため、従来の如き内燃機構６や圧電機構７内に砂や埃塵が入ることを完全に防止できるため（蛍火などの心配もなく）、河川や海、雨或いは高地(高度)などを気にせずに使用でき、また、蓋体４を閉蓋した状態でも、開蓋した状態でも、クリップ５を介して衣服のポケットや鞄或いはベルトなどに簡単に装着して使用できるなど、アウトドアに最適なカプセルライターを提供できるのである。
【００３６】
尚、本考案のライターＡは本実施例に限定されることなく、本考案の目的の範囲内で自由に設計変更し得るものであり、本考案はそれらの全てを包摂するものである。例えば、本実施例で言及している半割式の着火機構は、本実施例で採用している内燃式ガスライター（ピエゾライター）に限定されるものではなく、フリント式ライターやオイルライターにも応用できることは云うまでもない。
【図面の簡単な説明】
【００３７】
【図１】本考案に係るカプセルライター示す斜視図である。
【図２】同カプセルライターの正面図である。
【図３】同カプセルライターの拡大縦断面図である。
【図４】同カプセルライターの開蓋状態を示す斜視図である。
【図５】本カプセルライターの底蓋を外した状態を示す斜視図である。
【符号の説明】
【００３８】
１  ライター本体
１ａ  タンク上蓋
１ｂ  ガスタンク
１ｃ  ガス量調整レバー
１ｄ  底蓋
１ｅ  ガスケット
２  風防
２ａ  炎孔
３  着火操作子
３ａ  指掛部
３ｂ  ガード部
４  蓋体
５  クリップ
６  内燃機構
６ａ  スペーサ
６ｂ  混合管
６ｂ１    吸気孔
６ｃ  拡散器
６ｃ１  拡散孔
６ｄ  燃焼筒
７  圧電機構
７ａ  外箱
７ｂ  内箱
８  バルブ機構
８ａ  ノズル螺旋
８ｂ  ノズル底栓体
８ｃ  ガス噴出ノズル
９  弁操作レバー
９ａ  一方端
９ｂ  他方端
１０  透視窓
１１  アース
【図１】
0003129501.tif 000003
【図２】
0003129501.tif 000004
【図３】
0003129501.tif 000005
【図４】
0003129501.tif 000006
【図５】
0003129501.tif 000007
【手続補正書】
【提出日】平成18年12月14日(2006.12.14)
【手続補正１】
【補正対象書類名】実用新案登録請求の範囲
【補正対象項目名】全文
【補正方法】変更
【補正の内容】
【実用新案登録請求の範囲】
【請求項１】
ライター本体の頂部及び／又は底部を水密若しくは気密に被装する蓋体と、該蓋体若しくは前記ライター本体に突設されたクリップとを備えたことを特徴とするカプセルライター。
【請求項２】
前記ライター本体は、長手方向に半割された半円筒状の風防と、同方向に半割された半円筒状の着火操作子とを対向させて円筒状に整合してなることを特徴とする請求項１に記載のカプセルライター。
【請求項３】
前記ライター本体は、円筒状に形成されると共に、頂部に着火操作子と風防とを被装するドーム状の蓋体を介して同ライター本体の頂部側を水密に封止されることを特徴とする請求項１又は２に記載のカプセルライター。
【請求項４】
前記風防は、半円筒状に形成されて内燃機構をコンパクトに被装し、前記着火操作子は、風防の頂面よりも一段低くなる指掛部と風防側に面するガード部とを一体的に連設して圧電機構を被装せしめたことを特徴とする請求項２又は３に記載のカプセルライター。
【手続補正２】
【補正対象書類名】明細書
【補正対象項目名】０００７
【補正方法】変更
【補正の内容】
【０００７】
上述の如き従来の問題点を解決し、所期の目的を達成するため本考案の要旨とする構成は、ライター本体の頂部及び／又は底部を水密若しくは気密に被装する蓋体と、該蓋体若しくは前記ライター本体に突設されたクリップとを備えたカプセルライターに存し、延いては、ライター本体の頂部に、長手方向に半割された半円筒状の風防と、同方向に半割された半円筒状の着火操作子とを対向させて円筒状に整合してなるカプセルライターに存する。
【手続補正３】
【補正対象書類名】明細書
【補正対象項目名】００１１
【補正方法】変更
【補正の内容】
【００１１】
また、ライター本体の頂部に、長手方向に半割された半円筒状の風防と、同方向に半割された半円筒状の着火操作子とを対向させて円筒状に整合したことによって、今までのライターになかったコンパクトで斬新な半割スライド式で着火できるカプセルライターを提供できることとなった。
【手続補正４】
【補正対象書類名】明細書
【補正対象項目名】００１２
【補正方法】変更
【補正の内容】
【００１２】
更に、前記ライター本体が、円筒状に形成されると共に、頂部に着火操作子と風防とを被装するドーム状の蓋体を介して同ライター本体の頂部側を水密に封止したことによって、内燃式ガスライターでありながらも、河川や海にでも携帯して使用できる耐水性に優れたカプセルライターを提供できることとなった。
【手続補正５】
【補正対象書類名】明細書
【補正対象項目名】００１５
【補正方法】変更
【補正の内容】
【００１５】
円筒状に形成されたライター本体の頂部に、長手方向に半割された半円筒状の風防と、同方向に半割された半円筒状の着火操作子とを対向させて円筒状に整合し、かつ、前記風防に内燃機構をコンパクトに被装すると共に、前記着火操作子に風防の頂面よりも一段低くなる指掛部を一体的に連設し、前記着火操作子と風防とを被装するドーム状の蓋体を介して同ライターの頂部側を水密に封止せしめるのが良い。